(57)【要約】【課題】自由に開度制御可能なスロットル弁が設けられて、スロットル弁の開度を変化させると共に、可変動弁系により吸気弁の開弁期間及びリフト量の少なくとも一方を変化させて吸入空気量を制御する可変動弁系を有する内燃機関の制御方法において、吸入空気量の正確な制御を可能とすることである。【解決手段】特定定常運転状態の時に、実際の吸気管圧力が特定定常運転状態における目標吸気管圧力と異なる場合には、実際の吸気管圧力を目標吸気管圧力に一致させるようにしてスロットル弁１１制御指令値における第一補正量を算出し、この時に、実際の吸入空気量が特定定常運転状態における目標吸入空気量と異なる場合には、実際の吸入空気量を目標吸入空気量に一致させるようにして可変動弁系３ａ制御指令値における第二補正量を算出し、第二補正量は、第一補正量により補正されたスロットル弁制御指令値をさらに補正する。【選択図】　　　図１
2004116399.tif 000002
【特許請求の範囲】
【請求項１】
自由に開度制御可能なスロットル弁が設けられて、機関運転状態に応じて、予め設定されたスロットル弁制御指令値に基づき前記スロットル弁の開度を変化させると共に、予め設定された可変動弁系制御指令値に基づき吸気弁の開弁期間及びリフト量の少なくとも一方を変化させて吸入空気量を制御する可変動弁系を有する内燃機関の制御方法において、特定定常運転状態の時に、実際の吸気管圧力が前記特定定常運転状態における目標吸気管圧力と異なる場合には、前記スロットル弁制御指令値及び前記可変動弁系制御指令値の一方を変化させて実際の吸気管圧力を前記目標吸気管圧力に一致させるようにして前記スロットル弁制御指令値及び前記可変動弁系制御指令値の前記一方における第一補正量を算出し、この時に、実際の吸入空気量が前記特定定常運転状態における目標吸入空気量と異なる場合には、前記スロットル弁制御指令値及び前記可変動弁系制御指令値の他方を変化させて実際の吸入空気量を前記目標吸入空気量に一致させるようにして前記スロットル弁制御指令値及び前記可変動弁系制御指令値の前記他方における第二補正量を算出し、前記第二補正量は、前記第一補正量により補正された前記スロットル弁制御指令値及び前記可変動弁系制御指令値の前記一方を、さらに補正するのにも使用されることを特徴とする可変動弁系を有する内燃機関の制御方法。
【請求項２】
前記第一補正量及び前記第二補正量はそれぞれに更新されることを特徴とする請求項１に記載の可変動弁系を有する内燃機関の制御方法。
【請求項３】
前記第一補正量が閾値範囲外となる時又は前記第二補正量が閾値範囲外となる時には、前記スロットル弁又は前記可変動弁系が故障していると判断することを特徴とする請求項１に記載の可変動弁系を有する内燃機関の制御方法。
【発明の詳細な説明】
【０００１】
【発明の属する技術分野】
本発明は、可変動弁系を有する内燃機関の制御方法に関する。
【０００２】
【従来の技術】
スロットル弁を全開にしてポンピング損失を発生させることなく、吸気弁の開弁期間を変化させて吸入空気量を制御する可変動弁系を有する内燃機関が公知である。このような内燃機関において、吸入空気量を正確に制御するためには、吸気弁の開弁期間を制御するための制御指令値を吸入空気量に正確に対応させなければならない。従来においては、このために、スロットル弁を設定開度に固定して制御指令値により吸気弁の開弁期間を変化させ、発生する吸気管負圧に基づき基準制御指令値を補正するようにしている（例えば、特許文献１参照）。
【０００３】
こうして、基準制御指令値は、実際の吸入空気量に対応する吸気管負圧に基づき補正されるために、補正された制御指令値に基づいて吸気弁の開弁期間を制御すれば、吸入空気量を正確に制御可能であるとされている。
【０００４】
【特許文献１】
特開平６−３１７１２９号公報（段落番号００３７−００５３、図４及び５）
【０００５】
【発明が解決しようとする課題】
前述の従来技術において、スロットル弁は、アクセルペダルに連動するものではなく、自由に開度制御可能なものである。このようなスロットル弁の場合には、基準制御指令値の補正に際して、固定した実際のスロットル弁開度が設定開度とはなっていないことがある。この時には、吸気管負圧がスロットル弁開度によっても大きく変化するものであるために、基準制御指令値を正確に補正することができず、吸入空気量の制御が不正確となる。
【０００６】
従って、本発明の目的は、自由に開度制御可能なスロットル弁が設けられて、スロットル弁の開度を変化させると共に、可変動弁系により吸気弁の開弁期間及びリフト量の少なくとも一方を変化させて吸入空気量を制御する可変動弁系を有する内燃機関の制御方法において、吸入空気量の正確な制御を可能とすることである。
【０００７】
【課題を解決するための手段】
本発明による請求項１に記載の可変動弁系を有する内燃機関の制御方法は、自由に開度制御可能なスロットル弁が設けられて、機関運転状態に応じて、予め設定されたスロットル弁制御指令値に基づき前記スロットル弁の開度を変化させると共に、予め設定された可変動弁系制御指令値に基づき吸気弁の開弁期間及びリフト量の少なくとも一方を変化させて吸入空気量を制御する可変動弁系を有する内燃機関の制御方法において、特定定常運転状態の時に、実際の吸気管圧力が前記特定定常運転状態における目標吸気管圧力と異なる場合には、前記スロットル弁制御指令値及び前記可変動弁系制御指令値の一方を変化させて実際の吸気管圧力を前記目標吸気管圧力に一致させるようにして前記スロットル弁制御指令値及び前記可変動弁系制御指令値の前記一方における第一補正量を算出し、この時に、実際の吸入空気量が前記特定定常運転状態における目標吸入空気量と異なる場合には、前記スロットル弁制御指令値及び前記可変動弁系制御指令値の他方を変化させて実際の吸入空気量を前記目標吸入空気量に一致させるようにして前記スロットル弁制御指令値及び前記可変動弁系制御指令値の前記他方における第二補正量を算出し、前記第二補正量は、前記第一補正量により補正された前記スロットル弁制御指令値及び前記可変動弁系制御指令値の前記一方を、さらに補正するのにも使用されることを特徴とする。
【０００８】
また、本発明による請求項２に記載の可変動弁系を有する内燃機関の制御方法は、請求項１に記載の可変動弁系を有する内燃機関の制御方法において、前記第一補正量及び前記第二補正量はそれぞれに更新されることを特徴とする。
【０００９】
また、本発明による請求項３に記載の可変動弁系を有する内燃機関の制御方法は、請求項１に記載の可変動弁系を有する内燃機関の制御方法において、前記第一補正量が閾値範囲外となる時又は前記第二補正量が閾値範囲外となる時には、前記スロットル弁又は前記可変動弁系が故障していると判断することを特徴とする。
【００１０】
【発明の実施の形態】
図１は、本発明による制御方法が適用される可変動弁系を有する内燃機関を示す概略断面図である。同図において、１は吸気ポート、２は排気ポートである。吸気ポート１は吸気弁３を介して、排気ポート２は排気弁４を介して、それぞれ気筒内へ通じている。５はピストンであり、６は気筒上部略中心に配置された点火プラグであり、７は気筒上部周囲から気筒内へ直接的に燃料を噴射する燃料噴射弁である。
【００１１】
８は各気筒共通のサージタンクであり、９はサージタンク８と各気筒の吸気ポート１を接続する吸気管である。サージタンク９の上流側に位置する吸気通路１０内には、スロットル弁１１が配置されている。スロットル弁１１は、アクセルペダルに連動するものではなく、ステップモータ等の駆動装置によって自由に開度制御可能なものである。１２は、スロットル弁１１の下流側として、サージタンク９内の圧力を検出するための圧力センサである。また、吸入空気量を検出するために、吸気通路１０のスロットル弁１１より上流側には、エアフローメータ（図示せず）も配置されている。
【００１２】
燃料噴射弁７は吸気行程において燃料を噴射し、気筒内に均質混合気を形成することにより均質燃焼を実施するようになっている。この均質燃焼に際して、燃料噴射弁７は、気筒内へ直接的に燃料を噴射するものであるために、噴射した燃料を確実に気筒内へ供給することができ、必要最小限の燃料を噴射すれば良い。もちろん、均質燃焼を実施するためには、燃料噴射弁７を吸気管９に配置するようにしても良い。
【００１３】
均質燃焼を実施するためには、吸入空気量を機関運転状態に応じた目標吸入空気量に制御し、この目標吸入空気量に対して機関運転状態に応じた所望空燃比を実現するための量の燃料が噴射される。機関運転状態は、主にアクセルペダルの踏込量と機関回転数とによって定まるものであり、目標吸入空気量は、機関運転状態に応じて、アクセルペダルの踏込量が大きいほど、また、機関回転数が高いほど、多くなるように設定されている。一般的には、スロットル弁１１だけにより吸入空気量制御が実施されるが、特に、機関低負荷時においてスロットル弁１１の開度が小さくなると、スロットル弁１１の下流側が比較的大きな負圧になってポンピング損失が発生し、燃料消費率を悪化させる。
【００１４】
本実施形態では、スロットル弁１１の開度制御に加えて、吸気弁３の開弁期間を制御して吸入空気量を制御するようにしている。それにより、スロットル弁１１の開度は、機関低負荷時においてもそれほど小さくされることはなく、ポンピング損失を低減することができる。
【００１５】
常に、スロットル弁１１を全開にして、吸気弁３の開弁期間だけにより吸入空気量を制御することも考えられるが、スロットル弁１１の下流側を大気圧より僅かに低くして気筒内を負圧にしている方が噴射燃料は気化し易く、良好な均質燃焼が実現されて結果的に燃料消費を低減することができる。
【００１６】
本実施形態において、吸気弁３及び排気弁４は、それぞれ電磁アクチュエータ３ａ及び４ａによって開閉され、自由に開弁時期及び閉弁時期を変化させることができる。図２は、排気弁及び吸気弁のリフト量を示すタイムチャートであり、排気弁４は、膨張下死点ＢＤＣ１直前に開弁して排気上死点ＴＤＣ直後に閉弁するようになっている。一方、吸気弁３は、吸入空気量を最大とする時には、実線で示すように、排気上死点ＴＤＣ直前に開弁して吸気下死点ＢＤＣ２直後に閉弁するようになっているが、目標吸入空気量の減少に伴って、点線で示すように、開弁時期は徐々に排気上死点ＴＤＣへ向けて遅角されると共に、点線及び一点鎖線で示すように、閉弁時期も徐々に排気上死点ＴＤＣへ向けて進角される。こうして、吸気弁３の開弁期間が短くされることにより吸入空気量を減少させることができる。
【００１７】
図５は、機関回転数Ｎｅ毎に目標吸入空気量Ｑｔが多いほど高く設定される目標吸気管圧力Ｐｔと、機関回転数Ｎｅとによって定められる吸気弁３の目標開弁期間Ａｔを示す第一マップである。一方、図６は、目標吸気管圧力Ｐｔと機関回転数Ｎｅとによって定められるスロットル弁１１の目標開度Ｂｔを示す第二マップである。
【００１８】
電磁アクチュエータ３ａへ与えられる目標開弁期間Ａｔに対する制御指令値によって吸気弁３の目標開弁期間Ａｔが実現され、また、駆動装置へ与えられる目標開度Ｂｔに対する制御指令値によってスロットル弁１１の目標開度Ｂｔが実現されれば、吸気管圧力を運転状態に応じた所望の負圧（目標吸気管圧力Ｐｔ）とすると共に気筒内には所望の吸入空気量（目標吸入空気量Ｑｔ）を供給することができ、大きなポンピング損失を発生させずに、良好な均質燃焼を実現して、燃料消費を最小とすることができる。しかしながら、目標開弁期間Ａｔに対して定められた制御指令値では、吸気弁３の目標開弁期間Ａｔを実現することができないことがあり、また、目標開度Ｂｔに対して定められた制御指令値では、スロットル弁１１の目標開度Ｂｔを実現することができないことがあり、このような場合には、所望の吸入空気量が気筒内へ供給されず、意図する運転状態が実現されないだけでなく、燃料消費率が悪化してしまう。
【００１９】
本実施形態では、所望の吸入空気量が気筒内へ供給されるようにして燃料消費を最小とするために、図３及び４に示すフローチャートによって吸気弁３の開弁期間制御及びスロットル弁１１の開度制御を実施する。先ず、ステップ１０１においては、機関回転数Ｎｅを検出すると共に、機関回転数Ｎｅ及びアクセルペダルの踏込量に基づき決定された目標吸入空気量Ｑｔと機関回転数Ｎｅとから目標吸気管圧力Ｐｔが決定される。次いで、ステップ１０２では、図５に示す第一マップから機関回転数Ｎｅと目標吸気管圧力Ｐｔとに基づき吸気弁３の目標開弁期間Ａｔを決定する。次いで、ステップ１０３では、目標開弁期間Ａｔに対して当初設定された電磁アクチュエータ３ａへの制御指令値ａを第二補正係数ｋ２によって乗算補正し、電磁アクチュエータ３ａを作動させる。第二補正係数ｋ２は以下のステップにより算出される値であり、当初は１とされている。
【００２０】
次いで、ステップ１０４では、図６に示す第二マップから機関回転数Ｎｅと目標吸気管圧力Ｐｔとに基づきスロットル弁１１の目標開度Ｂｔを決定する。ステップ１０５においては、目標開度Ｂｔに対して当初設定された駆動装置への制御指令値ｂを第一補正係数ｋ１と前述の第二補正係数ｋ２とによって乗算補正し、スロットル弁１１の駆動装置を作動させる。第一補正係数ｋ１も以下のステップにより算出される値であり、当初は１とされている。
【００２１】
当初設定された電磁アクチュエータ３ａの制御指令値ａ及び当初設定された駆動装置の制御指令値ｂによって、吸気弁３の目標開弁期間Ａｔ及びスロットル弁１１の目標開度Ｂｔが実現されれば、第一補正係数ｋ１及び第二補正係数ｋ２は１のままで良く、すなわち、各制御指令値ａ及びｂを補正する必要はない。しかしながら、吸気弁３の目標開弁期間Ａｔ及びスロットル弁１１の目標開度Ｂｔが実現されない時には、目標吸気管圧力Ｐｔが実現されずに目標吸入空気量Ｑｔが気筒内へ供給されないこととなる。
【００２２】
本フローチャートでは、ステップ１０６において、現在の運転状態が特定定常状態であるか否かを判断して、特定定常状態である時には、ステップ１０７において、目標吸気管圧力Ｐｔが実現されているか否かを判断している。特定定常状態とは、吸入空気量が安定しているいずれの定常運転状態としても良い。ステップ１０７では、圧力センサ１２によって検出されるサージタンク８内の圧力Ｐが目標吸気管圧力Ｐｔにほぼ等しいか否かを判断する。具体的には、圧力センサ１２によって検出されるサージタンク８内の圧力Ｐと目標吸気管圧力Ｐｔとの偏差が設定値未満であるか否かを判断し、この判断が肯定される時には、各制御指令値ａ及びｂの補正は必要なく、そのまま終了する。しかしながら、前述の偏差が設定値以上となって、実際のサージタンク８内の圧力Ｐが目標吸気管圧力Ｐｔと明らかに等しくないと判断される時には、ステップ１０８に進む。
【００２３】
ステップ１０８では、サージタンク８内の圧力Ｐが目標吸気管圧力Ｐｔに一致するように、すなわち、圧力Ｐと目標吸気管圧力Ｐｔとの偏差が設定値未満となるように、スロットル弁１１の開度を変化させ、この時の駆動装置への制御指令値ｂ’が決定される。次いで、ステップ１０９では、この制御指令値ｂ’を当初の制御指令値ｂによって除算して第一補正係数ｋ１を求める。
【００２４】
もし、このスロットル弁１１の開度補正によって目標吸入空気量Ｑｔが気筒内燃機関へ供給されれば、スロットル弁１１の駆動装置への制御指令値だけがずれていたこととなる。それにより、ステップ１１０では、エアフローメータによって検出される吸入空気量Ｑが目標吸入空気量Ｑｔにほぼ等しいか否かが判断される。具体的には、エアフローメータによって検出される吸入空気量Ｑと目標吸入空気量Ｑｔとの偏差が設定値未満であるか否かを判断し、この判断が肯定される時には、第一補正係数ｋ１のみを更新して（ステップ１０９）終了する。
【００２５】
しかしながら、ステップ１１０における判断が否定される時には、吸気弁３の目標開弁期間Ａｔは、確実に実現されていないこととなる。それにより、ステップ１１１において、実際の吸入空気量Ｑが目標吸入空気量Ｑｔに一致するように、すなわち、吸入空気量Ｑと目標吸入空気量Ｑｔとの偏差が設定値未満となるように、吸気弁３の開弁期間を変化させ、この時の電磁アクチュエータ３ａへの制御指令値ａ’が決定される。次いで、ステップ１１２では、この制御指令値ａ’を当初の制御指令値ａによって除算して第二補正係数ｋ２を求める。
【００２６】
ステップ１１３では、こうして算出された第一補正係数ｋ１及び第二補正係数ｋ２の少なくとも一方が、閾値範囲（αからβ）内であるか否かが判断され、この判断が肯定される時にはそのまま終了する。しかしながら、ステップ１１３における判断が否定される時には、吸気弁３の可変動弁系としての電磁アクチュエータ３ａ、吸気弁３自身、スロットル弁１１の駆動装置、及び、スロットル弁１１自身の少なくとも一つが異常であり、修理の必要があるとして、ステップ１１４において異常判断としてランプ等により運転者に知らせる。
【００２７】
本フローチャートにおいて、電磁アクチュエータ３ａの制御指令値だけがずれていて目標吸気管圧力Ｐｔが実現されていない場合にも、目標開度Ｂｔが実現されているスロットル弁１１の開度を変化させてしまう。しかしながら、こうしてスロットル弁１１の制御指令値ｂのための第一補正係数ｋ１が算出されても、この制御指令値ｂは、第一補正係数ｋ１に加えて、吸気弁３の制御指令値ａのための第二補正係数ｋ２によっても補正されるために、当初の制御指令値ｂが不必要に補正されることはない。
【００２８】
例えば、吸気弁３の実際の開弁期間が目標開弁期間Ａｔより短くて、実際の吸気管圧力Ｐが目標吸気管圧力Ｐｔより高くなっている場合には、スロットル弁１１の開度は、１より小さな第一補正係数ｋ１により目標開度Ｂｔより小さく補正されてしまう。しかしながら、この時には、実際の吸入空気量Ｑは目標吸入空気量Ｑｔに対して少なくなっているために、吸気弁３の開弁期間は長くなるよう補正され、このための第二補正係数ｋ２は１より大きくされる。それにより、スロットル弁１１のための制御指令値ｂを第一補正係数ｋ１と第二補正係数ｋ２とにより乗算補正すれば、不必要な補正とはならないこととなる。
【００２９】
もちろん、第二補正係数ｋ２が算出された当初は、この第二補正係数ｋ２自身も、目標開度Ｂｔが実現されていないスロットル弁１１に対して、目標吸入空気量Ｑｔが実現されるように吸気弁３の開弁期間を変化させるものであり、適当な補正係数とはなっていない。しかしながら、特定定常状態が持続する間に、このような第一補正係数ｋ１及び第二補正係数ｋ２の算出が繰り返されれば、第一補正係数ｋ１及び第二補正係数ｋ２は徐々に適当な補正係数へ近づけられる。
【００３０】
例えば、前述した場合において、本フローチャートが繰り返されれば、実際のロットル弁１１の開度は、目標開度Ｂｔより小さくされているために、実際の吸気管圧力Ｐは目標吸気管圧力Ｐｔより低くなっており、ステップ１０７における判断が否定される。それにより、スロットル弁１１の開度を大きくするように、前回において１より小さくされた第一補正係数ｋ１は大きくされて１へ近づけられる。それにより、実際の吸入空気量Ｑは目標吸入空気量Ｑｔより多くなり、ステップ１１０における判断が否定され、吸気弁３の開弁期間を短くするように、前回において１より大きくされた第二補正係数ｋ２は小さくされて１へ近づけられる。これが繰り返される間に、第一補正係数ｋ１及び第二補正係数ｋ２はそれぞれ適当な値となる。この間において、常に、目標吸入空気量Ｑｔは実現されるために、意図しない運転状態が実現されるようなことはない。このように、第一補正係数ｋ１及び第二補正係数ｋ２をそれぞれ適当な値とするためには、特定定常状態がある程度は持続する必要がある。
【００３１】
こうして、本フローチャートにおいては、特定定常状態での運転が実施される毎に第一補正係数ｋ１及び第二補正係数ｋ２が更新され、これらの補正係数は、ステップ１０１から１０５に示すように、特定定常状態以外の運転状態においても使用され、各運転状態において目標吸気管圧力を実現して所望の吸入空気量を気筒内へ供給することができる。もちろん、第一補正係数ｋ１及び第二補正係数ｋ２は、実際的には、それほど頻繁に変化するものではないために、例えば、機関停止されるまでの間で一回だけ特定定常状態で第一補正係数ｋ１及び第二補正係数ｋ２を算出するように、算出間隔を長くするようにしても良い。
【００３２】
本実施形態において、吸気弁３の可変動弁系として電磁アクチュエータ３ａを使用したが、これに代えて油圧アクチュエータを使用しても良い。これらのアクチュエータでは、吸気弁３のリフト量を変化させることは難しい。それにより、吸入空気量の制御のために、吸気弁３の開弁期間を短くすると共にリフト量を小さく変化させる場合には、カムシャフトの軸線に対しての傾斜面を有するカムを設けてカムシャフトを軸線方向に移動させることにより、カムと吸気弁との当接位置を変化させる可変動弁系を使用すれば良い。もちろん、吸入空気量を制御するために、吸気弁３のリフト量だけを変化させるようにしても良い。
【００３３】
前述のフローチャートでは、目標吸気管圧力が実現されない時にはスロットル弁１１の開度を変化させ、さらに目標吸入空気量が実現されない時には吸気弁３の開弁期間を変化させるようにしたが、これを逆にして、目標吸気管圧力が実現されない時には吸気弁３の開弁期間を変化させ、さらに目標吸入空気量が実現されない時にはスロットル弁１１の開度を変化させるようにしても良い。
【００３４】
また、前述のフローチャートにおいて、第一補正係数ｋ１及び第二補正係数ｋ２の少なくとも一方が同じ閾値範囲（αからβ）外となる時に異常判断をしたが、もちろん、それぞれに異なる閾値範囲を設定するようにしても良い。また、目標吸気管圧力が実現されない時に、スロットル弁の開度又は吸気弁の開弁期間を変化させることとなるが、この時に算出される補正係数が異常判断の閾値範囲より狭い閾値範囲を超えないように、スロットル弁の開度又は吸気弁の開弁期間の補正をガードするようにしても良い。
【００３５】
【発明の効果】
本発明による可変動弁系を有する内燃機関の制御方法は、特定定常運転状態の時に、実際の吸気管圧力が特定定常運転状態における目標吸気管圧力と異なる場合には、スロットル弁制御指令値及び可変動弁系制御指令値の一方を変化させて実際の吸気管圧力を目標吸気管圧力に一致させるようにしてスロットル弁制御指令値及び可変動弁系制御指令値の一方における第一補正量を算出し、この時に、実際の吸入空気量が特定定常運転状態における目標吸入空気量と異なる場合には、スロットル弁制御指令値及び可変動弁系制御指令値の他方を変化させて実際の吸入空気量を目標吸入空気量に一致させるようにしてスロットル弁制御指令値及び前記可変動弁系制御指令値の他方における第二補正量を算出し、第二補正量は、第一補正量により補正されたスロットル弁制御指令値及び可変動弁系制御指令値の一方を、さらに補正するのにも使用されるようになっている。それにより、第一補正量及び第二補正量による補正によって、スロットル弁の開度と、吸気弁の開弁期間及びリフト量の少なくとも一方とが、それぞれ目標値に制御され、目標吸気管圧力を実現して、吸入空気量の正確な制御が可能となる。
【図面の簡単な説明】
【図１】本発明による制御方法が適用される可変動弁系を有する内燃機関の概略断面図である。
【図２】吸気弁及び排気弁のリフト量を示すタイムチャートである。
【図３】吸入空気量を制御するためのフローチャートの一部である。
【図４】吸入空気量を制御するためのフローチャートの残り一部である。
【図５】吸気弁の目標開弁期間を決定するための第一マップである。
【図６】スロットル弁の目標開度を決定するための第二マップである。
【符号の説明】
３…吸気弁
３ａ…電磁アクチュエータ
１１…スロットル弁
１２…圧力センサ
【図１】
2004116399.tif 000003
【図２】
2004116399.tif 000004
【図３】
2004116399.tif 000005
【図４】
2004116399.tif 000006
【図５】
2004116399.tif 000007
【図６】
2004116399.tif 000008